(57)【特許請求の範囲】
【請求項１】
協調マルチポイント伝送（CoMP）技術を用いるシステムに応用されるセルの優先順位に基づいた協調スケジューリング方法であって、
各協調セルの現行情報によって各協調セルに優先順位を付けし、且つ
優先順位の降順で順次に各協調セルのスケジューリングを完成することを含み、
前記現行情報は、本協調セル内のスケジューリング待ちユーザーの数、現行チャンネル状態情報、ユーザーのデータータイプ中の一種又は任意の組合せを含む。
【請求項２】
前記優先順位の降順で順次に各協調セルのスケジューリングを完成するステップは、高優先順位協調セルのスケジューリングを完成した後、前記高優先順位協調セルのスケジューリング結果によって、低優先順位協調セルをスケジューリングすることを含み、
前記スケジューリング結果は、スケジューリングユーザーの情報及びスケジューリングユーザーの重み情報を含む請求項1に記載の方法。
【請求項３】
前記優先順位の降順で順次に各協調セルのスケジューリングを完成するステップは、一つの協調セルをスケジューリングする時、この協調セル内の各スケジューリング待ちユーザーのチャンネルのフィードバック情報及び完成したデータースループットによって、完成したデータースループットが小さく且つ現行チャンネル品質が高いスケジューリング待ちユーザーを優先に選択してスケジューリングすることを更に含む請求項2に記載の方法。
【請求項４】
前記高優先順位協調セルのスケジューリング結果によって低優先順位協調セルをスケジューリングする前記ステップは、
協調セルをスケジューリングする時、スケジューリング待ちユーザーのスケジューリングを完成したユーザーへの干渉が予め設置した干渉強度の閾値を超えると、このユーザーへのスケジューリングを放棄することを含む請求項2に記載の方法。
【請求項５】
協調セルをスケジューリングする時、この協調セルがマルチユーザーマルチ入力マルチ出力（MU-MIMO）マルチアンテナモードを支持し且つチャンネルの条件が許容すると、この協調セル内の複数のスケジューリング待ちユーザーをスケジューリングし、この協調セルがシングルユーザマルチ入力マルチ出力（SU-MIMO）モードを支持し且つチャンネル条件が許容すると、この協調セルのスケジューリングするスケジューリング待ちユーザーが複数のストリームを使用する請求項1に記載の前記方法。
【請求項６】
前記方法が集中型協調ネットワークに応用されると、優先順位の降順で順次に各協調セルのスケジューリングを完成するステップは、前記ネットワークにおけるいずれの協調セル、又は各協調セル中の業務量や忙しい状態によって確定された一つの協調セルを中心制御セルとして、各協調セルのスケジューリングを完成し、且つスケジューリングの結果をそれぞれ各協調セルに送信することを含み、
前記方法が分散型協調ネットワークに応用されると、前記方法は、各協調セルが本セルの現行情報を他のすべての協調セルに送信するとともに、各協調セルも他の協調セルの送信したセル現行情報を受信することをさらに含み、各協調セル現行情報によって各協調セルに優先順位を付けるステップは、各協調セルがすべての協調セルの関連情報によって、優先順位を付けることを含み、優先順位の降順で順次に各協調セルのスケジューリングを完成するステップは、高優先順位協調セルのスケジューリングを完成した後、スケジューリングの結果をすべての低優先順位協調セルに通知し、低優先順位セルが高優先順位セルの送信したスケジューリング結果を受信することを含む請求項1に記載の前記方法。
【請求項７】
前記方法は、
各々の協調時点に、又は予め設定した周期に従って、各協調セルに対して、改めて前記優先順位付けを行うことを更に含む請求項１〜4に記載の前記方法。
【請求項８】
セルの優先順位に基づいた協調スケジューリングシステムであって、情報受発信モジュール、優先順位付けモジュール及びセルスケジューリングモジュールを含み、
前記情報受発信モジュールは協調セルの現行情報を送信又は受信するように設置され、
前記優先順位付けモジュールは各協調セルの現行情報によって、各協調セルに優先順位を付けるように設置され、
前記セルスケジューリングモジュールは優先順位の降順で順次に各協調セルのスケジューリングを完成するように設置され、
前記現行情報は、本協調セル内のスケジューリング待ちユーザーの数、現行チャンネル状態情報、ユーザーのデータータイプ中の一種又は任意の組合せを含む。
【請求項９】
セルの優先順位に基づいた協調スケジューリングシステムであって、前記システムは集中型協調ネットワークに応用され、中心制御セルの基地局と他の協調セルの基地局を含み、
前記他の協調セル内の基地局は、
本協調セルの現行情報、本協調セル内のスケジューリング待ちユーザーの関連情報を前記中心制御セルに送信し、且つ中心制御基地局の送信したスケジューリング結果を受信するように設置される第一情報受発信モジュールを含み、
前記中心制御セル内の基地局は、
各協調セルの現行情報、各協調セル内のスケジューリング待ちユーザーの関連情報を受信し、且つスケジューリングの結果をそれぞれ各協調セルに送信するように設置される第二情報受発信モジュールと、
各協調セルの現行情報によって、各協調セルに優先順位を付けるように設置される優先順位付けモジュールと、
各協調セル内のスケジューリング待ちユーザーの関連情報によって、相応する協調セルをスケジューリングするように設置されるセルスケジューリングモジュールとを含み、
前記現行情報は、本協調セル内のスケジューリング待ちユーザーの数、現行チャンネル状態情報、ユーザーのデータータイプ中の一種又は任意の組合せを含む。
【請求項１０】
前記中心制御セルは前記集中型協調ネットワークにおける任意の一つの協調セル或は前記ネットワーク中の各協調セルにおける業務量や忙しい状態によって確定した一つの協調セルである請求項9に記載の前記システム。
【請求項１１】
セルの優先順位に基づいた協調スケジューリングシステムであって、分散式協調ネットワークに応用され、前記ネットワークにおける各協調セル内の基地局を含み、前記基地局は、
本協調セルの現行情報を他のすべての協調セルに送信し、他の協調セルの送信するセル現行情報及び高優先順位協調セルのスケジューリング結果を受信し、且つ本協調セルのスケジューリング結果をすべての低優先順位協調セルに通知するように設置される前記情報受発信モジュールと、
各協調セルの現行情報によって、各協調セルに優先順位を付けるように設置される前記優先順位付けモジュールと、
高優先順位セルのスケジューリング結果及び本協調セル内のスケジューリング待ちユーザーの関連情報によって、本協調セルのスケジューリングを完成するように設置される前記セルスケジューリングモジュールとを含み、
前記現行情報は、本協調セル内のスケジューリング待ちユーザーの数、現行チャンネル状態情報、ユーザーのデータータイプ中の一種又は任意の組合せを含む。
【発明の詳細な説明】
【技術分野】
【０００１】
本発明は移動通信技術分野に関し、特にセルの優先順位に基づいた協調スケジューリング方法及びシステムに関する。
【背景技術】
【０００２】
LTE-A（Long Term Evaluation-Advanced、高級ロング・ターム・エボリューション）システムにおいて、高速データーレートサービスのカバー率を向上し、且つセルの周縁とセルの平均スループット率を向上させるために、CoMP（Coordinated Multiple Point Transmission and Reception、協調マルチポイント送受信）技術が導入された。
【０００３】
LTE-AにおけるCoMP技術は主に1）協調伝送集合中の各々ノードがいずれもデータ情報を獲得でき、同一時点にPDSCH（Physical Downlink Shared Channel、物理下りリンク共有チャンネル ）データが複数のノード又は一つのノードによって伝送される統合伝送技術と、2）サービスセルだけが伝送待ちデータ情報を獲得でき、ユーザーへのスケジューリングとビーム賦形への確認が協調集合で協議することによって完成される協調スケジーリングとに分けられる。
【０００４】
現在、既存している協調セルの協調スケジューリング方案において、
1、一つの協調セルをスケジューリングする時、本協調セルの特性だけを考慮するので、協調エリアにおける他のスケジューリングを完成した協調セルに高い干渉を致す恐れがある問題、
2、協調セルにおけるユーザーをスケジューリングする時、公平原則を考慮せず、且つリソース利用率が低い問題が存在している。
【発明の概要】
【発明が解決しようとする課題】
【０００５】
本発明が解決しようとする問題は協調スケジューリング方法及びシステムを提供し、各協調セルの特性を十分に考慮し、協調エリア全体のリソース割当を最適化にすることにある。
【課題を解決するための手段】
【０００６】
上記問題を解決するために本発明はセルの優先順位に基づいた協調スケジューリング方法を提供し、CoMP技術を用いるシステムに応用され、前記方法は、
各協調セルの歴史及び/又は現行情報によって各協調セルに優先順位を付けし、且つ
優先順位の降順で順次に各協調セルのスケジューリングを完成することを含む。
【０００７】
前記優先順位の降順で順次に各協調セルのスケジューリングを完成するステップは、高優先順位協調セルのスケジューリングを完成した後、前記高優先順位協調セルのスケジューリング結果によって、低優先順位協調セルをスケジューリングすることを含み、
前記スケジューリング結果はスケジューリングユーザーの情報及びスケジューリングユーザーの重み情報を含む。
【０００８】
前記優先順位の降順で順次に各協調セルのスケジューリングを完成するステップは、一つの協調セルをスケジューリングする時、この協調セル内の各スケジューリング待ちユーザーのチャンネルフィードバック情報及び完成したデータースループットによって、完成したデータースループットが小さく且つ現行チャンネル品質が高いスケジューリング待ちユーザーを優先に選択してスケジューリングすることを更に含む。
【０００９】
前記高優先順位協調セルのスケジューリング結果によって低優先順位協調セルをスケジューリングする前記ステップは、
協調セルをスケジューリングする時、スケジューリング待ちユーザーのスケジューリングを完成したユーザーへの干渉が予め設置した干渉強度の閾値を超えると、このユーザーへのスケジューリングを放棄することを含む。
【００１０】
前記歴史情報は、本協調セルの業務量、忙しさ、サービスする業務タイプ中の一種又は任意の組合を含む。
【００１１】
前記現行情報は、本協調セル内のスケジューリング待ちユーザーの数、現行チャンネル状態情報、ユーザーのデータータイプ中の一種又は任意の組合を含む。
【００１２】
協調セルをスケジューリングする時、この協調セルがマルチユーザーマルチ入力マルチ出力（MU-MIMO）マルチアンテナモードを支持し且つチャンネルの条件が許容すると、この協調セル内の複数のスケジューリング待ちユーザーをスケジューリングし、この協調セルがシングルユーザマルチ入力マルチ出力（SU-MIMO）モードを支持し且つチャンネル条件が許容すると、この協調セルのスケジューリングするスケジューリング待ちユーザーが複数のストリームを使用する。
【００１３】
前記方法が集中型協調ネットワークに応用されると、優先順位の降順で順次に各協調セルのスケジューリングを完成するステップは、前記ネットワークにおけるいずれの協調セル、又は各協調セル中の業務量や忙しさ状態によって確定された一つの協調セルを中心制御セルとして、各協調セルのスケジューリングを完成し、且つスケジューリングの結果をそれぞれ各協調セルに送信することを含み、
前記方法は分散型協調ネットワークに応用されると、前記方法は、各協調セルが本セルの歴史と現行情報を他のすべての協調セルに送信するとともに、各協調セルも他の協調セルの送信したセル歴史と現行情報を受信することをさらに含み、各協調セルの歴史及び/又は現行情報によって各協調セルに優先順位を付けるステップは各協調セルがすべての協調セルの歴史、及び/又は関連情報によって、優先順位を付けることを含み、優先順位の降順で順次に各協調セルのスケジューリングを完成するステップは、高優先順位協調セルのスケジューリングを完成した後、スケジューリングの結果をすべての低優先順位協調セルに通知し、低優先順位セルが高優先順位セルの送信したスケジューリング結果を受信することを含む。
【００１４】
前記方法は、
各々の協調時点に、又は予め設定した周期に従って、各協調セルに対して、改めて前記優先順位付けを行うことを更に含む。
【００１５】
本発明はセルの優先順位に基づいた協調スケジューリングシステムを更に提供し、情報受発信モジュール、優先順位付けモジュール及びセルスケジューリングモジュールを含み
前記情報受発信モジュールは協調セルの歴史と現行情報を送信又は受信するように設置され、
前記優先順位付けモジュールは各協調セルの歴史及び/又は現行情報によって、各協調セルに優先順位を付けるように設置され、
前記セルスケジューリングモジュールは優先順位の降順で順次に各協調セルのスケジューリングを完成するように設置される。
【００１６】
本発明はセルの優先順位に基づいた協調スケジューリングシステムを更に提供し、前記システムは集中型協調ネットワークに応用され、中心制御セルの基地局と他の協調セルの基地局を含み、
前記他の協調セル内の基地局は、
本協調セルの歴史と現行情報、本協調セル内のスケジューリング待ちユーザーの関連情報を前記中心制御セルに送信し、且つ中心制御基地局の送信したスケジューリング結果を受信するように設置される第一情報受発信モジュールを含み、
前記中心制御セル内の基地局は、
各協調セルの歴史と現行情報、各協調セル内のスケジューリング待ちユーザーの関連情報を受信し、且つスケジューリングの結果をそれぞれ各協調セルに送信するように設置される第二情報受発信モジュールと、
各協調セルの歴史及び/又は現行情報によって、各協調セルに優先順位を付けるように設置される優先順位付けモジュールと、
各協調セル内のスケジューリング待ちユーザーの関連情報によって、相応する協調セルをスケジューリングするように設置されるセルスケジューリングモジュールを含む。
【００１７】
前記中心制御セルは前記集中型協調ネットワークにおける任意の一つの協調セル或は前記ネットワーク中の各協調セルにおける業務量や忙しい状態によって確定した一つの協調セルである。
【００１８】
本発明はセルの優先順位に基づいた協調スケジューリングシステムを更に提供し、分散式協調ネットワークに応用され、前記ネットワークにおける各協調セル内の基地局を含み、前記基地局は、
本協調セルの歴史と現行情報を他のすべての協調セルに送信し、他の協調セルの送信するセル歴史情報と現行情報及び高優先順位協調セルのスケジューリング結果を受信し、且つ本協調セルのスケジューリング結果をすべての低優先順位協調セルに通知するように設置される前記情報受発信モジュールと、
各協調セルの歴史及び/又は現行情報によって、各協調セルに優先順位を付けるように設置される前記優先順位付けモジュールと、
高優先順位セルのスケジューリング結果及び本協調セル内のスケジューリング待ちユーザーの関連情報によって、本協調セルのスケジューリングを完成するように設置される前記セルスケジューリングモジュールを含む。
【００１９】
発明における協調スケジューリング方案によれば、各協調セルの特性を十分に考慮し、エリア全体のリソース割当を最適化することができ、各々セル内でユーザーをスケジューリングする時、同時に割合公平原則を兼ねてユーザーをスケジューリングし、ネットワークが合理的な作動状態にあるようにし、更にシステム全体の性能を向上させることができる。
【図面の簡単な説明】
【００２０】
【図１】本発明実施例の集中型協調ネットワークにおける協調スケジューリング方法のフロー模式図である。
【図２】本発明実施例の集中型協調ネットワークに応用された協調スケジューリングシステムの模式ブロック図である。
【図３】本発明実施例の分散式協調ネットワークに応用された協調スケジューリングシステムの模式ブロック図である。
【発明を実施するための形態】
【００２１】
LTE-AのCoMP技術において、一つの協調エリア内に若干の協調セルがあり、各々の協調セルがいずれもMU-MIMO（Multi-User Multiple Input Multiple Output、マルチユーザーマルチ入力マルチ出力）とSU-MIMO（Single-User Multiple Input Multiple Output、シングルユーザマルチ入力マルチ出力）マルチアンテナモードを支持でき、各々の協調セル内のユーザーが独立的に自体から所在するサービスセルまでのチャンネル品質を測定し、且つ測定情報を所在するサービスセルにフィードバックする。
【００２２】
本発明の主旨は各協調セルの歴史と現行関連情報によって、各協調セルの優先順位を確定し、優先順位の降順で順次にスケジューリングを完成し、且つ低優先順位セルのスケジューリングを行うとき、高優先順位セルのスケジューリング結果を考慮する必要がある。
【００２３】
上記構想に基づき、本発明に提供された協調スケジューリング方法は以下のA、B、C、Dを含む。
【００２４】
A、セルの優先順位付け
各協調セルの歴史及び/又は現行情報によって、各協調セルに優先順位を付けることができる。具体的な応用場合によって、上記歴史情報は、この時点の前に統計した本セルの業務量、忙しさ、サービスする業務タイプ等の情報の一種又は任意の組合を含むが、それらに限らなく、上記現行情報は、本セルがサービスしようとするユーザー（すなわちデーターを伝送する必要があるユーザーであり、以下スケジューリング待ちユーザーと呼ぶ）の数、現行チャンネル状態情報、ユーザーのデータータイプ等の情報の一種又は任意の組合を含むが、それらに限らない。統計した歴史情報から見ると、セルの業務量が通常大きいと、このセルが一つの業務上忙しいセルとなり、同時に、現行サービスしようとするユーザーの数量が多く、ユーザーデーターのリアルタイム性への要求が高く、ユーザーのチャンネル条件がよいと、本セルの優先順位が高くなる。
【００２５】
B、順序付きモード
優先順位付けは動的モードを採用してもよく、半静的モードを採用してもよい。上記動的モードとは協調時点毎に改めて優先順位付けを行なう事を指し、上記半静的モードとは周期的に優先順位付けを行うことを指し、すなわち、一定の協調時間間隔内に優先順位の順序を更新しなく、この間隔を超えると、歴史情報と現行情報によって、改めて各協調セルの優先順位を更新する。
【００２６】
C、ある協調セルをスケジューリングする時、より高い優先順位セルのスケジューリング情報、スケジューリング待ちユーザーの関連情報を考慮する必要がある。
【００２７】
そのうち、より高い優先順位セルスケジューリング情報を考慮することはそれらへの干渉を減少するためであり、例えば、本協調セル内のいずれのユーザーをスケジューリングすることがスケジューリングを完成した協調セルに対して強い干渉を形成することを発見すると、強い干渉の判断は干渉強度の閾値を設置することで実現でき、本協調セルはこの協調時間周波数リソースにおいて本協調セルのユーザーをスケジューリングしなくなる。
【００２８】
スケジューリング待ちユーザーの関連情報を考慮することは公平性原則を兼ね、リソースの利用率を向上させるためである。
【００２９】
D、ある協調セルがMU-MIMOマルチアンテナモードを支持し且つチャンネルの条件が許容すると、この協調セルは本協調セル内の複数のユーザーをスケジューリングできることが好ましい。同様に、協調セルがSU-MIMOモードを支持し且つチャンネル条件が許容すると、この協調セルのスケジューリングできるユーザーが複数のストリームを使用することができる。
【００３０】
協調セルがMU-MIMOマルチアンテナモードを支持しなく、或はチャンネル条件がマルチユーザー又は複数のストリームをスケジューリングすることを許容しないと、やはりシングルのユーザーをスケジューリングすることができる。
【００３１】
本発明は集中型協調ネットワークや分散式協調ネットワークに応用されることできる。上記集中型協調ネットワークとは協調エリア内に一つの中心制御点（セル）があり、スケジューリング過程全体が完全にこの中心制御点で完成されることを指し、上記分散式協調ネットワークとは協調エリア内に各協調セルがそれぞれ各協調セルの歴史と現行する関連情報によって、単独にセルの優先順位付け（各協調セルが獲得した情報が完全に同じなので、すべての各セルが獲得した順位付け結果も一致している）を完成することを指し、そのうち、各協調セルの間は二つずつの協調セル間が相互作用する方式で他の協調セルの情報を獲得することができるが、各協調セルが本セルの歴史と現行情報を他のすべての協調セルに送信し、同時に他の協調セルの送信するセル歴史と現行情報を受信することでもよい。高優先順位セルへのスケジューリングを完成した後、スケジューリングユーザーの情報（すなわちどんなユーザーをスケジューリングしたか）、スケジューリングした各ユーザー（以下、スケジューリングを確定したという）が使用した重み情報等を含むスケジューリング結果をすべての低優先順位セルに通知し、低優先順位セルが高優先順位セルの送信したスケジューリング結果を受信し、且つ高優先順位セルのスケジューリング結果によって、本セルのスケジューリングを行う。
【実施例１】
【００３２】
以下、集中型協調ネットワークを例として、本発明による技術案の実施をさらに詳しく紹介する。
【００３３】
エリア内に三つの協調セルがあり、協調セルA、協調セルB及び協調セルCと呼ばれる。各々の協調セルはいずれもMU-MIMOとSU-MIMOモードを支持し、各々の協調セルの協調リソース内に三つのスケジューリング待ちユーザーがある。協調セルAのスケジューリング待ちユーザーはそれぞれユーザーa1、ユーザーa2及びユーザーa3であり、協調セルBのスケジューリング待ちユーザーはそれぞれユーザーb1、ユーザーb2及びユーザーb3であり、協調セルCのスケジューリング待ちユーザーはそれぞれユーザーc1、ユーザーc2及びユーザーc3である。
【００３４】
一つの干渉強度閾値（この干渉強度閾値は各協調セルで統一的に設定してもよく、それぞれ設定してもよい）を設置し、スケジューリング待ちユーザーをスケジューリングする時、このスケジューリング待ちユーザーのスケジューリングを確定したユーザーへの干渉はこの閾値より高くなると、このユーザースをケジューリングすることを放棄する。具体的には、スケジューリング待ちユーザーのスケジューリングを確定したユーザーへの干渉が漏れたエネルギーによって確定できる。
【００３５】
協調セルAにおける三つのスケジューリング待ちユーザー、すなわち、ユーザーa1、ユーザーa2及びユーザーa3は独立的に自体から協調セルA基地局までのチャンネル品質を測定し、且つ測定した情報を協調セルAにフィードバックし、協調セルBにおける三つのスケジューリング待ちユーザー、すなわち、ユーザーb1、ユーザーb2及びユーザーb3は独立的に自体から協調セルB基地局までのチャンネル品質を測定し、且つ測定した情報を協調セルBにフィードバックし、協調セルCにおける三つのスケジューリング待ちユーザー、すなわち、ユーザーc1、ユーザーc2及びユーザーc3は独立的に自体から協調セルC基地局までのチャンネル品質を測定し、且つ測定した情報を協調セルCにフィードバックする。
【００３６】
仮に統計結果からみると、協調セルCの業務量がもっとも小さく、或は現行忙しい状態がもっとも低いとすると、協調セルCを選択して中心制御セルとし、
協調セルAは本セル内の三つのスケジューリング待ちユーザーの関連情報と本セルの関連情報を中心制御セルに送信する。スケジューリング待ちユーザー関連情報はスケジューリング待ちユーザーのチャンネルのフィードバック情報及び一定の期間内のスケジューリング待ちユーザーが完成したデータースループット等の情報を含み、協調セルAのセル関連情報については、本実施例において、セル関連情報は主に現行セルの忙しさ、サービスしようとする業務タイプ等の情報を含む。
【００３７】
同様に、協調セルBは本セル内の三つのスケジューリング待ちユーザーの関連情報と本セルの関連情報を中心制御セルに送信する。スケジューリング待ちユーザー関連情報はスケジューリング待ちユーザーのチャンネルのフィードバック情報及び一定の期間内(実際の必要によってこの期間の長さを設置、且つ調整することができる)のスケジューリング待ちユーザーが完成したデータースループット等の情報を含み、協調セルBのセル関連情報は現行セルの忙しい程度、サービスしようとする業務タイプ等の情報を含む。
【００３８】
図1に示すように、この協調スケジューリング方法は主に以下のステップを含む。
【００３９】
第一ステップ：中心制御セルCはまず各協調セルのセル関連情報によって、各協調セルの優先順位を確定し、確定原則は協調セルが忙しければ忙しいほど、その順位が高くなり、サービスしようとする業務のリアルタイム性が高ければ高いほど、且つデータ量が多ければ多いほど、順位が高くなる。この原則によって、仮に最終的なセルの優先順位が降順で順次に協調セルB、協調セルA及び協調セルCであることをとし、順位を確定した後、以下順位の順番で順次に各協調セルのスケジューリングを確定する。
【００４０】
第二ステップ：最高優先順位セル即ち協調セルBのスケジューリングを行う。中心制御セルCは協調セルBから伝送してくるセル内の三つのスケジューリング待ちユーザー情報によって、割合公平原則と現行チャンネル品質の二つの要素を考慮し、本セルのスケジューリングを完成し、スケジューリング待ちユーザーが完成したスループットは小さければ小さいほど現行チャンネルの品質が高くなり、このユーザーが優先にスケジューリングされる。仮に最終的に確定したスケジューリングユーザーはb1とb2の二つのユーザーであり、ユーザー毎にただ一つのストリームを発射し、即ち、ユーザー毎にただ一つの最適化重み値を有するとし、
第三ステップ、二次最高優先順位セル即ち協調セルAのスケジューリングを行う。中心制御セルCは協調セルAが伝送してくるセル内の三つのスケジューリング待ちユーザー情報及びより高い優先順位セルのスケジューリング判断結果によって、割合公平原則と現行スケジューリング待ちユーザーチャンネルの品質の二つの要素を考慮する以外に、最大信号対漏れ比（Signal to Leakage Ratio）準則を用い、本セルのスケジューリングを行う。例えば、発射信号のエネルギーがsであり、他のユーザーに漏れたエネルギーがLであると、この最大信号対漏れ比準則とはs/Lの比が最大になると期待することである。この過程において、三つのユーザーa1、a2及びa3中のいずれかをスケジューリングすると、それがスケジューリングを確定したユーザーへの干渉はいずれも所定した干渉強度閾値を超えたと発見したので、最終的なスケジューリング結果は協調セルAが協調リソース内でユーザーをスケジューリングしなく、
第四ステップ：最低優先順位セル即ち中心制御セルCのスケジューリングを行う。中心制御セルCは本セル内の三つのスケジューリング待ちユーザー情報及びより高い優先順位セルのスケジューリング判断結果、即ちセルBとセルAのスケジューリング結果によって、割合公平原則と現行スケジューリング待ちユーザーのチャンネル品質の二つの方面の要素を考慮した以外に、最大信号対漏れ比準則を用い、本セルのスケジューリングを行い、仮に、本セルチャンネルの条件の制限で、チャンネル条件は二つのユーザーが同時に存在することを支持しなく、本セルは同時に一つだけのユーザーをスケジューリングできるとすると、最終的にユーザーc2をスケジューリングすることを確定する。
【００４１】
ここまで、三つのセルのスケジューリングを完成し、中心制御セルはスケジューリング結果をそれぞれ相応する協調セルに送信する。
【００４２】
また、図2に示すように、本発明による実施例において、セルの優先順位に基づいた協調スケジューリングシステムを提供しており、集中型協調ネットワークに応用され、このネットワークには制御中心セルと他の協調セルを含み、そのうち、
他の協調セル内の基地局は、
本協調セルの歴史と現行情報、本協調セル内のスケジューリング待ちユーザーの関連情報を上記中心制御セルに送信し、且つ中心制御基地局の送信したスケジューリング結果を受信するように設置される情報受発信モジュールを含み
中心制御セル内の基地局は
各協調セルの歴史と現行情報、各協調セル内のスケジューリング待ちユーザーの関連情報を受信し、且つスケジューリングの結果をそれぞれ各協調セルに送信するように設置される情報受発信モジュールと、
各協調セルの歴史及び/又は現行情報によって、各協調セルに優先順位を付けるように設置される優先順位付けモジュールと、
各協調セル内のスケジューリング待ちユーザーの関連情報によって、優先順位の降順で順次に各協調セルのスケジューリングを完成するように設置されるセルスケジューリングモジュールを含む。
【００４３】
そのうち、上記中心制御セルはこのネットワークにおける任意の一つの協調セル或はネットワーク中の各協調セルにおける業務量や忙しい状態によって確定した一つの協調セルである。
【実施例２】
【００４４】
以下、分散式協調ネットワークを例として、本発明技術案の実施をさらに詳しく紹介する。
【００４５】
仮にエリア内に三つの協調セルがあり、各々の協調セルはいずれもMU-MIMOとSU-MIMOモードを支持し、各々の協調セルの協調リソース内に三つのスケジューリング待ちユーザーがあり、協調セルが協調セルA、協調セルB及び協調セルCと呼ばれる。協調セルAのスケジューリング待ちユーザーはそれぞれユーザーa1、ユーザーa2及びユーザーa3と呼ばれ、協調セルBのスケジューリング待ちユーザーはそれぞれユーザーb1、ユーザーb2及びユーザーb3と呼ばれ、協調セルCのスケジューリング待ちユーザーはそれぞれユーザーc1、ユーザーc2とユーザーc3及び呼ばれる。
【００４６】
一つの干渉閾値を設置し、スケジューリング待ちユーザーをスケジューリングする時、このスケジューリング待ちユーザーのスケジューリングを確定したユーザーへの干渉はこの閾値より高くなると、このユーザースをケジューリングすることを放棄する。
【００４７】
協調セルAにおける三つのスケジューリング待ちユーザー、すなわち、ユーザーa1、ユーザーa2及びユーザーa3は独立的に自体から協調セルA基地局までのチャンネル品質を測定し、且つ測定した情報を協調セルAにフィードバックし、協調セルBにおける三つのスケジューリング待ちユーザー、すなわち、ユーザーb1、ユーザーb2及びユーザーb3は独立的に自体から協調セルB基地局までのチャンネル品質を測定し、且つ測定した情報を協調セルBにフィードバックし、協調セルCにおける三つのスケジューリング待ちユーザー、すなわち、ユーザーc1、ユーザーc2及びユーザーc3は独立的に自体から協調セルC基地局までのチャンネル品質を測定し、且つ測定した情報を協調セルCにフィードバックする。
【００４８】
三つの協調セルはそれぞれ自分のセルの関連情報を他のすべての協調セルに送信し、セル関連情報は現行セルの忙しい程度、サービスしようとする業務タイプ等の情報を含む。各協調セルは本セルの情報及び受信した他の協調セルの送信した情報を利用し、設定したセルの優先順位計算方法でそれぞれ優先順位付けを行い、各セルの利用する情報と優先順位計算方法が完全に同じなので、三つの協調セルが得られた優先順位は同じである。各協調セルの優先順位を確定し、確定原則は協調セルが忙しければ忙しいほど、その順位が高くなり、サービスしようとする業務のリアルタイム性が高ければ高いほど、且つデータ量が多ければ多いほど、順位が高くなる。この原則によって、仮に最終的なセルの優先順位が降順で順次に協調セルB、協調セルA及び協調セルCであることをとし、
各協調セルがセルの優先順位を得た後、高優先順位の協調セルをまずスケジューリングし、低優先順位のセルが高優先順位のセルのスケジューリングした結果が出てから、スケジューリングを開始する。
【００４９】
まず、最高優先順位セルすなわち協調セルBのスケジューリングを行い、協調セルAと協調セルCが協調セルBのスケジューリング結果を待つ。協調セルBは割合公平原則と現行チャンネル品質の二つの方面の要素を考慮し、本セルのスケジューリングを完成し、スケジューリング待ちユーザーが完成したスループットは小さければ小さいほど現行チャンネルの品質が高くなり、このユーザーが優先にスケジューリングされ、最終的に確定したスケジューリングユーザーはb1とb2の二つのユーザーであり、ユーザーごとにただ一つのストリームを発射し、即ち、ユーザー毎にただ一つの最適化重み値を有し、このスケジューリング結果は協調セルBがこの時MU-MIMOモードを採用していることを示し、協調セルBはスケジューリングの結果を協調セルAと協調セルCに送信し、
協調セルCが、協調セルAの順位が自分より高いので、協調セルBのスケジューリングの結果を受信した後、依然として待ち続き、
協調セルAは、現行自分がスケジューリングしていない協調セルの中で順位がもっとも高いものであるので、協調セルBのスケジューリングの結果を受信した後、本セルのスケジューリングを行うことができる。協調セルAは割合公平原則と現行スケジューリング待ちユーザーのチャンネル品質及び協調セルBのスケジューリング判断結果を考慮し、最大信号対漏れ比準則を用い、本セルのスケジューリングを行い、この過程において、三つのユーザーa1、a2及びa3中のいずれかをスケジューリングすると、それがスケジューリングを確定したユーザーへの干渉はいずれも所定した干渉閾値を超えたと発見したので、最終的なスケジューリングの結果は協調セルAが協調リソースにおいてユーザーをスケジューリングしなく、協調セルAがこのスケジューリング結果を優先順位が更に低い協調セルCに通知し、
協調セルCは、現行自分がスケジューリングしていない協調セルの中で順位がもっとも高いものであるので、協調セルAのスケジューリング結果を受信した後、本セルのスケジューリングを行うことができる。協調セルCは割合公平原則、現行スケジューリング待ちユーザーチャンネル品質及び協調セルAと協調セルBのスケジューリング結果を考慮し、最大信号対漏れ比準則を用い、本セルスケジューリングを行い、本セルチャンネル条件の制限で、本セルは同時に一つだけのユーザーをスケジューリング、最終的にユーザーc2をスケジューリングすることを確定する。
【００５０】
ここまで、三つのセルのスケジューリングを完成し、各協調セルはセルの各々のスケジューリングの結果によって、スケジューリングされる。
【００５１】
図3に示すように、本発明は、もう1つのセルの優先順位に基づいた協調スケジューリングシステムを更に提供しており、分散式協調ネットワークに応用され、ネットワークにおける各協調セルの基地局は情報受発信モジュール、優先順位付けモジュール及びセルスケジューリングモジュールを更に含み、そのうち、
情報受発信モジュールは、本協調セルの歴史と現行情報を他のすべての協調セルに送信し、他の協調セルの送信するセル歴史情報と現行情報及び高優先順位協調セルのスケジューリング結果を受信し、且つ本協調セルのスケジューリング結果をすべての低優先順位協調セルに通知するためのものであり、
優先順位付けモジュールは、各協調セルの歴史及び/又は現行情報によって、各協調セルに優先順位を付けるためのものであり、
セルスケジューリングモジュールは、高優先順位セルのスケジューリング結果及び本協調セル内のスケジューリング待ちユーザーの関連情報によって、本協調セルのスケジューリングを完成するためのものである。
【００５２】
例示する目的であるが、本発明の好適な実施例を開示したが、当業者は各種の改善、増加、引換が可能となることを理解できるので、本発明の範囲は上記実施例に限らないものである。
【００５３】
一般の当業者は上記方法中の全部或は一部のステップがプログラムを用いて関連ハードウェアに対して命令を出し、完成させることができ、上記プログラムはコンピューターの可読記憶媒体、例えば読み出し専用メモリ、磁気ディスク或は光ディスク等に記憶できと理解可能である。上述実施例の全部または一部のステップは1つ或は複数の集積回路を使用することで実現するという選択肢もある。それに対応し、上述実施例における各モジュール/ユニットはハードウェア形式で実現でき、またソフトウェアの機能モジュール形式でも実現できる。本発明は如何なる特定した形式のハードウェアとソフトウェアの結合に限らない。
【産業上の利用可能性】
【００５４】
発明における協調スケジューリング方案によれば、各協調セルの特性を十分に考慮し、エリア全体のリソース割当を最適化することができ、各々のセル内でユーザーをスケジューリングする時、同時に割合公平原則を兼ねてユーザーをスケジューリングし、ネットワークが合理的な作動状態にあるようにし、更にシステム全体の性能を向上させることができる。
【図１】
0005575255.tif 000002
【図２】
0005575255.tif 000003
【図３】
0005575255.tif 000004